(57)【要約】【課題】加熱手段に対する冷却効率を向上させることができる低騒音の加熱調理器を提供する。【解決手段】加熱調理器１は、加熱調理器本体３に配設された左右一対のＩＨ用の加熱コイル１１，１２と、ファンモータ２１とを有する。遠心ファンたる冷却ファン２２は、回転軸２１ａが略前後方向を指向した状態で一方の加熱コイル１２の下方に配置され、当該加熱コイル１２側から他方の加熱コイル１１側に向けて送風するように回転する。【選択図】  図３
2009123657.tif 000002
【特許請求の範囲】
【請求項１】
加熱調理器本体と、
この加熱調理器本体に配設された左右一対の加熱手段と、
これらの加熱手段を制御するインバータユニットと、
前記加熱手段の下方に配設された電装品と、
ファンモータと、
このファンモータにより回転される冷却ファンとを具備し、
前記冷却ファンは、
回転軸方向から吸入した空気を径方向外側に吹き出す遠心ファンであって、前記回転軸が前記加熱調理器本体の略前後方向を指向した状態で一方の加熱手段の下方に配置され、前記一方の加熱手段側から他方の加熱手段側に向けて送風するように回転することを特徴とする加熱調理器。
【請求項２】
冷却ファンを収容するファンケーシングを具備し、
前記ファンケーシングに、一方の加熱手段に臨むように送風口を設けたことを特徴とする請求項１記載の加熱調理器。
【請求項３】
ファンケーシングの送風口に、他方の加熱手段側に向かう導風板を設けたことを特徴とする請求項２記載の加熱調理器。
【請求項４】
冷却ファンは、前後両吸い込みの構成であることを特徴とする請求項１乃至３の何れかに記載の加熱調理器。
【請求項５】
加熱調理器本体外部とファンケーシングとを連通させると共に、冷却ファンの前後両吸い込みにより一方の吸気経路と他方の吸気経路を形成する吸気ダクトを備え、
ファンモータ、インバータユニット及び電装品を、前記一方の吸気経路と前記他方の吸気経路とに分けて配置したことを特徴とする請求項４記載の加熱調理器。
【請求項６】
インバータユニット及び電装品を一方の吸気経路に配置すると共にファンモータを他方の吸気経路に配置し、冷却ファンの羽根の仕切位置を当該羽根の前後方向の中心よりも前記他方の吸気経路寄りに形成したことを特徴とする請求項５記載の加熱調理器。
【請求項７】
吸気ダクトは、加熱調理器本体の後部から外部の空気を吸入する吸気口を備え、一方の吸気経路が、前記吸気口から吸入した空気を前記ファンケーシングの周囲を通して当該ファンケーシングの前側へ案内するように構成され、
前記一方の吸気経路に、前記ファンケーシングの周囲に位置して少なくともインバータユニット或は電装品を配置したことを特徴とする請求項５又は６記載の加熱調理器。
【請求項８】
インバータユニットをファンケーシングの下側に配置し、前記インバータユニットと一方の加熱手段との間に冷却ファンを配置したことを特徴とする請求項７記載の加熱調理器。
【請求項９】
一対の加熱手段は、誘導加熱手段で構成されていると共に、
加熱調理器本体における前記一対の誘導加熱手段と異なる位置に電熱加熱手段を設け、
前記電熱加熱手段の外周側に当該電熱加熱手段への送風を避ける防風板を設けたことを特徴とする請求項１乃至８の何れかに記載の加熱調理器。
【発明の詳細な説明】
【技術分野】
【０００１】
本発明は、加熱調理器本体と、この加熱調理器本体に配設された左右一対の加熱手段と、これらの加熱手段を制御するインバータユニットとを具備した加熱調理器に関する。
【背景技術】
【０００２】
従来より、上記加熱調理器にあっては、加熱手段として例えば誘導加熱コイルを備えたものが提供されている（例えば特許文献１参照）。この加熱調理器は、上部ユニットと下部ユニットとに分けられており、上部ユニットのケースの上面に、調理プレート（トッププレート）が配置されている。
【０００３】
このトッププレートの下側には、前方左右の２箇所に誘導加熱コイルが配設され、後方中央に１個のヒータが設けられている。また、上部ユニットのケースの内部には、左右方向の中間部に位置して誘導加熱コイルを冷却するための冷却装置が設けられている。この冷却装置は、回転軸が略鉛直方向を指向するファンモータと、このファンモータにより回転される軸流ファンとを備え、この軸流ファンの回転による冷却風の一部を、左右両側の誘導加熱コイルへ流すようになっている。
他方、下部ユニットのケースの内部には、誘導加熱コイル等を制御する制御回路や電装品が配設されると共に、これら制御回路や電装品を冷却するための冷却装置が設けられている。
【特許文献１】特開平３−１９１２１５号公報
【発明の開示】
【発明が解決しようとする課題】
【０００４】
上記誘導加熱コイルは、それ自体の発熱やヒータの輻射熱あるいはトッププレート上の被加熱調理器等からの熱的影響によって比較的高温の状態になることから、特に上部ユニットの冷却装置の冷却効率を高めることが望ましい。ところが、前記の冷却装置では、軸流ファンによりトッププレート側に向けて送風されるため、その風がトッププレートに当たって流れの方向を変える際に、冷却風の流れの乱れが生じ圧力損失が大きくなって冷却が不充分となる問題を内在している。そこで、軸流ファンを高い回転数で駆動させることにより誘導加熱コイルの過熱を抑えることが考えられるが、軸流ファンの回転数の増加に伴い耳障りな騒音が発生する惧れがある。
【０００５】
本発明は上記事情に鑑みてなされたもので、加熱手段に対する冷却効率を向上させることができる低騒音の加熱調理器を提供することを目的とする。
【課題を解決するための手段】
【０００６】
上記の目的を達成するために本発明の加熱調理器は、加熱調理器本体と、この加熱調理器本体に配設された左右一対の加熱手段と、これらの加熱手段を制御するインバータユニットと、前記加熱手段の下方に配設された電装品と、ファンモータと、このファンモータにより回転される冷却ファンとを具備し、前記冷却ファンは、回転軸方向から吸入した空気を径方向外側に吹き出す遠心ファンであって、前記回転軸が前記加熱調理器本体の略前後方向を指向した状態で一方の加熱手段の下方に配置され、前記一方の加熱手段側から他方の加熱手段側に向けて送風するように回転することを特徴とする。
【発明の効果】
【０００７】
上記手段によれば、冷却ファンを、回転軸が略前後方向を指向する遠心ファンから構成し、一方の加熱手段の下方に配置したので、一方の加熱手段側から他方の加熱手段側に向かう円滑な空気の流れを形成することができる。これにより、前述した圧力損失の問題を解消し冷却効率を高めることができると共に、冷却ファンの回転数を高めることなく加熱手段の冷却に必要な送風作用を得ることができ、低騒音化を図ることができる。
【発明を実施するための最良の形態】
【０００８】
以下、本発明の一実施例を示す図１乃至図６を参照して説明する。そのうち図２は、システムキッチンの天板２に加熱調理器１を組込んだ状態（所謂ビルトインタイプ）の外観斜視図、図１は同横断平面図、図３は同縦断正面図、図４は同縦断側面図を示している。
【０００９】
加熱調理器１は、後述する加熱手段や空冷手段等を内蔵し上面を開放した略矩形箱状の加熱調理器本体３と、その上面に装着されたトッププレート４とを具備して構成されている。キッチンの天板２には開口部２ａ（図３，４参照）が形成されていて、当該開口部２ａに加熱調理器本体３部分が落とし込まれることにより、加熱調理器１がトッププレート４の裏面側において天板２の開口周縁部で支持されている。
【００１０】
図２に示すように、加熱調理器本体３の正面である前面には、その図示右側に操作パネル部５が設けられており、この操作パネル部５に調理のための条件設定を操作するダイヤルや表示部等が配設されている。また、加熱調理器本体３の左側には、図示しないシーズヒータを内蔵したロースター手段６が配備されていて、その前面に出し入れ可能な扉６ａが設けられ、これに内部の焼き網や受け皿（何れも図示せず）が連動する構成としている。
【００１１】
一方、加熱調理器１の上面を構成するトッププレート４は、例えば透明な耐熱強化ガラス製にて平坦な矩形板状に形成されている。その上面には、例えば図２中、円形枠線で示す３箇所に、鍋７などの被加熱調理器を加熱するに好適とする載置部を指示する加熱部８，９，１０を印刷表示している。そのうち、前方左右の２箇所の加熱部８，１０は、例えば、加熱調理器本体３内に設けられた加熱手段としてのＩＨ用の加熱コイル（誘導加熱手段）１１，１２に基づき被加熱調理器たる鍋７を加熱可能としている。また、後方中央に位置する加熱部９は、例えば、加熱手段としてのラジエントヒータ（電熱加熱手段）１３によって、鍋７などの被加熱調理器をトッププレート４を介して加熱可能としており、所謂三つ口コンロを形成している。尚、トッププレート４の後方部位には、多数の通気孔を有するカバー部材４ａが着脱可能に被着されている。これは、後述する吸排気用の開口部を覆うものである。
【００１２】
ここで、加熱調理器本体３内に配設された加熱手段等について詳述する。加熱調理器本体３の上部には、薄形矩形箱状の上部ケース１４が装着されており、当該上部ケース１４とトッププレート４とで囲まれた閉空間Ｓ１が形成されている。この上部ケース１４内には、図１において左側から順に左ＩＨ用の加熱コイル１１と、ラジエントヒータ１３と、右ＩＨ用の加熱コイル１２とが、夫々加熱部８，９，１０に対応するように配設されている。ラジエントヒータ１３は、例えばニクロム線で構成されている。
【００１３】
上部ケース１４の底壁１４ａには、右ＩＨ用の加熱コイル１２下方の後部寄りに、平面視にて矩形状をなす切欠部１５（図１、図５、図６参照）が設けられている。この切欠部１５には、後述する冷却装置１８（ファンケーシング２３）の上端部が臨むようになっている。
詳しい図示は省略するが、上部ケース１４内の前部には、複数のプリント基板が配設されており、これらプリント基板に、両加熱コイル１１，１２及びラジエントヒータ１３の出力状態を表示するためのＬＥＤ群が夫々実装されている。尚、図４は右ＩＨ用の加熱コイル１２に対応したプリント基板１６と、そのＬＥＤ群を構成するＬＥＤ１７の１つを示している。
【００１４】
さて、加熱調理器本体３内には、上部ケース１４の下方に位置し且つ操作パネル部５の後方に位置して、空冷手段としての冷却装置１８が設けられている。その冷却を要する対象部品は、加熱手段たる加熱コイル１１，１２をはじめ、該加熱手段を駆動し制御すべく高周波電流を供給するインバータユニット１９，２０（図３参照）や、マイクロコンピュータを主とした制御装置、電気部品等の電装品である。特に、加熱コイル１１，１２は、それ自体の発熱やラジエントヒータ１３の輻射熱あるいはトッププレート４上の被加熱調理器等からの熱的影響によって比較的高温の状態になるため、冷却する必要性が高い。
【００１５】
そこで、本実施例の冷却装置１８は以下のように構成されている。即ち、冷却装置１８は、ファンモータ２１と、このモータ２１により回転される冷却ファン２２と、このファン２２を収容するファンケーシング２３とを備えている。図５，図６等に示すように、ファンケーシング２３は、全体として略円筒状をなし、上端部が上部ケース１４の切欠部１５に対し下側から嵌合するように配置されている。このファンケーシング２３の上端部には、右ＩＨ用の加熱コイル１２に臨むように送風口２４が形成されると共に、送風口２４の外周縁部に、左ＩＨ用の加熱コイル１１に向けて（左方へ）傾斜した導風板２５が設けられている。
【００１６】
ファンケーシング２３の後面には、モータ取付板（図示せず）を介してファンモータ２１が回転軸２１ａを前向きとした状態で取付けられている。この回転軸２１ａは略前後方向へ略水平に延びており、当該回転軸２１ａに、遠心ファンからなる冷却ファン２２が設けられている。図６に示すように、冷却ファン２２は、ファンケーシング２３内にて、主板２６の前後両側に羽根２７を突出させた構成の前後両吸い込み型となっている。この場合、冷却ファン２２において、羽根２７の前後方向の仕切位置となる主板２６の外周部２６ａは、羽根２７の前後方向の中心よりも後寄り（つまりファンモータ２１側）に位置している。この冷却ファン２２に対応して、ファンケーシング２３の前面に前部吸込口２３ａが形成され、後面に後部吸込口２３ｂ（何れも図６参照）が形成されている。
【００１７】
図４に示すように、加熱調理器本体３の右側後部には、吸気ダクトの一部を構成する後部ダクト２８が設けられている。後部ダクト２８の上面開口部は吸気口２９となっていて、この吸気口２９の上部に前述したカバー部材４ａが配置されている。この後部ダクト２８の下部には、前方へ延びる吸気ダクトとしての補助ダクト３０，３１，３２（図３、図４参照）が配置されている。これら補助ダクト３０，３１，３２は、夫々前端部と後端部とが開放された矩形箱状をなし、図３に示すように、ファンケーシング２３の両側部と下部を「コ」の字状に囲うように配置されている。
【００１８】
また、補助ダクト３０，３１，３２は、インバータユニット１９，２０や前記電装品を収容するためのケースとしても機能する。具体的には、例えば、ファンケーシング２３下部の補助ダクト３０内には、右ＩＨ用の加熱コイル１２を制御するインバータユニット２０が収容配置されている。このインバータユニット２０はプリント基板３３ａ上に設けられていて、このプリント基板３３ａ上に、放熱部材３４ａが複数個（例えば２個、図４参照）設けられると共に電装品３５ａが設けられている。同様に、ファンケーシング２３左側部の補助ダクト３１内には、左ＩＨ用の加熱コイル１１を制御するインバータユニット１９がプリント基板３３ｂ上に設けられていて、このプリント基板３３ｂ上に、放熱部材３４ｂや電装品３５ｂが設けられている。ファンケーシング２３右側部の補助ダクト３２内には、プリント基板３３ｃ上に、ラジエントヒータ１３を制御するための制御回路３６、放熱部材３４ｃ、電装品３５ｃ等が設けられている。尚、冷却装置１８のファンケーシング２３は、補助ダクト３０の上面に固定されるようになっている。また、ファンケーシング２３の後側には、補助ダクト３０，３１，３２で囲まれたモータ収容室３７が形成されている。
【００１９】
図４に示すように、操作パネル部５の裏側には電装品収容部３８が形成されていて、この電装品収容部３８に制御装置や電気部品などの電装品３９が配設されている。そして、各補助ダクト３０，３１，３２及びファンケーシング２３は、夫々の前側の開放面が電装品収容部３８に臨んでいる。
【００２０】
上記のように、加熱調理器本体３外部（以下、単に外部と略す）とファンケーシング２３の前部吸込口２３ａとは、後部ダクト２８及び補助ダクト３０，３１，３２を介して連通しており、これら後部ダクト２８及び補助ダクト３０，３１，３２は、冷却ファン２２前側の吸い込みによって、外部の空気が流入する前側吸気経路Ａ１（図４参照）を形成する。また、外部とファンケーシング２３の後部吸込口２３ｂとは、後部ダクト２８及びモータ収容室３７を介して連通しており、後部ダクト２８及びモータ収容室３７は、冷却ファン２２後側の吸い込みによって外部の空気が流入する後側吸気経路Ａ２を形成する。
【００２１】
他方、冷却装置１８の吐出側である上部ケース１４内（つまり閉空間Ｓ１）には、ラジエントヒータ１３の外周縁部に位置して図１示すような断面円弧状の防風板４０が配置されている。この防風板４０は、その後端部４０ａがファンケーシング２３の送風口２４の後端側に向けて傾斜し、前端部がラジエントヒータ１３の前端部まで延びるように形成されることで、ラジエントヒータ１３への送風を防止して加熱コイル１１，１２側に導くようになっている。
【００２２】
また、図１に示すように、上部ケース１４の左側壁１４ｂには、前後方向で加熱コイル１１，１２と対応する部位に排出口４１が形成されると共に、上部ケース１４の後側壁１４ｃには、左側に後側排出口４２が形成されている。トッププレート４左側の後方部位には、後側排出口４２と連通する排気口４３が形成されており、後側排出口４２や排出口４１から排出される排気が外部へ排出されるようになっている。
【００２３】
更に、加熱調理器本体３の内方左側に設けた前記ロースター手段６は、ロースタケース４４内に、前記シーズヒータを配設した構成となっていて、上記閉空間Ｓ１とは区画された別の閉空間Ｓ２が形成されている。ロースタケース４４の左側後部には、このロースタケース４４内と連通するＬ字形のロースタ用排気ダクト４５が接続されている。このロースタ用排気ダクト４５の上部は上方に向けて開口したロースタ用排気口４６が形成されている。つまり、ロースター手段６の閉空間Ｓ２における吸排気作用は、特に煙などの排気熱による自然対流を利用して排気を促進すべく、ロースタ用排気ダクト４５を外部側の排気口４６にいくほど上昇する通路形態としている。
【００２４】
次に上記した構成の作用を説明する。
ＩＨ用の加熱コイル１１，１２の一方または双方が使用される時には、ファンモータ２１が通電され、このファンモータ２１によって、冷却ファン２２が図５中、反時計回り方向（矢印Ｂ方向）に回転される。この冷却ファン２２の送風作用により、外部の空気が、吸気口２９から後部ダクト２８及び補助ダクト３０，３１，３２を通って電装品収容部３８側へ流入し、前部吸込口２３ａからファンケーシング２３内に吸入される（前側吸気経路Ａ１参照）と共に、後部ダクト２８からモータ収容室３７を通り後部吸込口２３ｂからファンケーシング２３内に吸入される（後側吸気経路Ａ２参照）。
【００２５】
この場合、前側吸気経路Ａ１を通る空気（風）は、補助ダクト３０，３１，３２にて主にインバータユニット１９，２０や制御回路３６（この他、放熱部材３４ａ，３４ｂ，３４ｃ、電装品３５ａ，３５ｂ，３５ｃ等）を冷却し、電装品収容部３８にて、電装品３９を冷却する。他方、後側吸気経路Ａ２を通る空気は、モータ収容室３７にてファンモータ２１のみを冷却する。つまり、本実施例では、前述した冷却ファン２２における主板２６の外周部２６ａが、冷却対象部品数（ないし発熱量）に応じて、ファンモータ２１側（後側吸気経路Ａ２側）寄りに形成されているため、前側吸気経路Ａ１は、後側吸気経路Ａ２よりも風量が多く確保されている。
【００２６】
そして、ファンケーシング２３の送風口２４から上部ケース１４の閉空間Ｓ１側へ吐出される空気は、冷却ファン２２の矢印Ｂ方向の回転により、右ＩＨ用の加熱コイル１２側から左ＩＨ用の加熱コイル１１側に向けて流れる（図１，図３及び図５の矢印Ｃ参照）。このとき、送風口２４は右ＩＨ用の加熱コイル１２に臨み且つ送風口２４の外周縁部に導風板２５が形成されているので、吐出される空気は直接、右ＩＨ用の加熱コイル１２を冷却し且つ左ＩＨ用の加熱コイル１１に向かう略水平方向の円滑な流れを形成する。
【００２７】
また、この流れの一部は、ラジエントヒータ１３の外周縁部の防風板４０に沿って流れることにより（図１の矢印Ｃ１参照）、ラジエントヒータ１３を避けて加熱コイル１１，１２側へ導かれるようになっている。こうして、加熱コイル１１，１２を冷却した空気は、左側部の排出口４１或は後側排出口４２から外部へ排出される。
【００２８】
上記した実施例によれば、次のような効果を得ることができる。
冷却ファン２２を、回転軸２１ａが略前後方向を指向する遠心ファンから構成し、右ＩＨ用の加熱コイル１２の下方に配置すると共に、その加熱コイル１２側から左ＩＨ用の加熱コイル１１側に向けて送風するように回転させることで、円滑な空気の流れを形成することができる。これにより、冷却ファンの回転数を高めることなく加熱コイル１１，１２の冷却に必要な送風作用を得ることができ、低騒音化を図ることができる。即ち、前述した特許文献１に記載の冷却装置では、軸流ファンによりトッププレート側に向けて送風されるため、その風がトッププレートに当たって流れの方向を変える際に、冷却風の流れの乱れが生じ圧力損失が大きくなって冷却が不充分となる惧れがあった。これに対し、本実施例では、遠心ファンからなる冷却ファン２２によって、右ＩＨ用の加熱コイル１２側から左ＩＨ用の加熱コイル１１側に向けて送風するため、圧力損失の問題を解消することができると共に冷却効率を高めることができる。
【００２９】
また、ファンケーシング２３の送風口２４を右ＩＨ用の加熱コイル１２に臨むように設けたので、当該加熱コイル１２に対し、送風口２４から直接冷却風を吹き付け良好に冷却することができる。
このファンケーシング２３の送風口２４に、左ＩＨ用の加熱コイル１１側に向かう導風板２５を設けた。これによれば、送風口２４から吹き出される風がトッププレート４（乃至加熱コイル１２）に沿って左側（他方の加熱コイル１１側）にスムーズに流れるようになるため、前述したような冷却風の流れの乱れを極力抑制することができ、より冷却効率を高めることができる。
【００３０】
冷却ファン２２を前後両吸い込みの遠心ファンから構成したので、その冷却ファン２２の両側からの吸い込みによって、加熱調理器本体３の内部に、冷却ファン２２に向かう前方及び後方からの双方向の風を形成することができる。
【００３１】
加熱調理器本体３外部とファンケーシング２３とを連通させると共に、冷却ファン２２の前後両吸い込みにより前側吸気経路Ａ１と後側吸気経路Ａ２を形成する吸気ダクトとしての後部ダクト２８及び補助ダクト３０，３１，３２を設けた。両吸気経路Ａ１，Ａ２に、ファンモータ２１、インバータユニット１９，２０及び電装品３５ａ，３５ｂ，３５ｃ，３９を分けて配置することで、これら冷却対象部品に対して冷却ファン２２の前後両吸い込みを利用した良好な冷却を行うことができる。従って、上記実施例によれば、１個の冷却ファン２２で、加熱コイル１１、１２と前記冷却対象部品とを良好に冷却することができる。
【００３２】
また、インバータユニット１９，２０及び電装品３５ａ，３５ｂ，３５ｃ，３９を前側吸気経路Ａ１に配置すると共にファンモータ２１を後側吸気経路Ａ２に配置し、冷却ファン２２の羽根２７の仕切位置を後側吸気経路Ａ２寄りに形成した。これによれば、前記吸気ダクト内において、前側吸気経路Ａ１の風量（ファンケーシング２３の前側からの吸い込み量）をより多く確保することができ、冷却対象部品数や発熱量などに応じた風量を設定することができる。
【００３３】
前側吸気経路Ａ１に、ファンケーシング２３の周囲に位置してインバータユニット１９，２０や電装品３５ａ，３５ｂ，３５ｃ，３９等を配置した。これによれば、ファンケーシング２３の周囲のスペースに外部の空気が後方から前方へ流れるため、このスペースを有効に利用して、インバータユニット１９，２０や電装品３５ａ，３５ｂ，３５ｃ，３９等を効率良く冷却することができる。
【００３４】
インバータユニット２０をファンケーシング２３の下側に配置し、インバータユニット２０と右ＩＨ用の加熱コイル１２との間に冷却ファン２２を配置した。これによれば、右ＩＨ用の加熱コイル１２及びインバータユニット２０に対し冷却ファン２２を近づけ送風距離を短くすることができ、前述した圧力損失を極力抑制することができると共に、冷却ファン２２から吹き出す風を直接に加熱コイル１２側に供給することができる。
【００３５】
加熱調理器本体３における一対の加熱コイル１１，１２と異なる位置に、電熱加熱手段たるラジエントヒータ１３を設けると共に、このラジエントヒータ１３外周側に当該ラジエントヒータ１３への送風を避ける防風板４０を設けた。これによれば、加熱手段のうちラジエントヒータ１３等、冷却を要しないものに対する送風を避けることができる。また、防風板４０は、全体として円弧状をなし、その後端部４０ａがファンケーシング２３の送風口２４の後端側に向けて傾斜すると共に、送風口２４から吹き出された風を、加熱コイル１１，１２側に導くように配置されているため、両加熱コイル１１，１２に円滑かつ良好に送風することができる。
【００３６】
尚、本発明は上記しかつ図面に示す実施形態にのみ限定されるものではなく、次のように変形または拡張することができる。本発明は、ビルトインタイプに限られず据置きタイプ等の加熱調理器全般にも適用できるものである。  
加熱手段は、加熱調理器本体３に配設された左右一対の誘導加熱手段を有するものであればよく、電熱加熱手段としてのラジエントヒータ１３と誘導加熱手段としての加熱コイル１１，１２に限定されるものではない。例えば、電熱加熱手段は他の通電発熱体であってもよく、一対の誘導加熱手段は、互いに前後方向にずれたものでも左右方向に重なり合いがあって全体として左右に並んだものであればよい。
【００３７】
冷却ファン２２を、左ＩＨ用の加熱コイル１１の下方に配置し、その加熱コイル１１側から右ＩＨ用の加熱コイル１２側に向けて送風するように回転させるようにしてもよい。つまり、冷却ファン２２は、一対の誘導加熱手段のうち一方の加熱手段の下方に配置され、当該一方の加熱手段側から他方の加熱手段側に向けて送風するように回転する構成であればよい。上記した略前後方向は、前後方向を包含するものであり、例えば、冷却ファン２２を、回転軸２１ａが前後方向を水平に指向した状態で配置してもよい。
【００３８】
前記吸気ダクトは、後部ダクト２８及び補助ダクト３０，３１，３２に限定されるものではない。例えば、補助ダクト３０，３１，３２に代えて、加熱調理器本体３とファンケーシング２３の外周面とで吸気ダクトの一部を構成し（つまり補助ダクト３０，３１，３２を省略し）、両者の適宜の隙間を利用してファンケーシング２３の前側からの吸気経路を形成してもよい。即ち、吸気ダクトは、加熱調理器本体３外部とファンケーシング２３とを連通させると共に、冷却ファン２２の前後両吸い込みにより一方の吸気経路と他方の吸気経路を形成する構成であればよい。また、吸気口２８を、加熱調理器本体３の後部の上面に設けたが、加熱調理器本体３の任意の位置に設けてもよい。
【００３９】
上記実施例とは異なり、ラジエントヒータ１３に代えてＩＨ用の加熱コイルを設けた場合（つまり加熱手段として３つのＩＨ用の加熱コイルを設けた場合）、補助ダクト３２内に、ラジエントヒータ１３用の制御回路３６等に代えてＩＨ用の加熱コイルに対応したインバータユニットを設けるようにしてもよい。これら３つ（上記実施例では２つ）のインバータユニットを、１枚のプリント基板にまとめて設け、例えば補助ダクト３０内（冷却ファン２２の下側）に配置してもよい。
【００４０】
ファンモータ２１、インバータユニット１９，２０及び電装品３５ａ，３５ｂ，３５ｃ，３９は一方の吸気経路と他方の吸気経路とに分けて配置されていればよく、上記実施例の配置位置は、その一例を示すものである。また、これら冷却対象物の発熱量などに応じて、冷却ファン２２の羽根２７の仕切位置を前後方向にずらして設けることで、一方の吸気経路と他方の吸気経路における所望の風量比を設定することができる。更に、本発明は、ファンケーシング２３の送風口２４に導風板２５に相当する導風部を一体成形する等、要旨を逸脱しない範囲内で適宜変更して実施し得るものである。
【図面の簡単な説明】
【００４１】
【図１】本発明の一実施例につきトッププレート省略して示す加熱調理器の平面図
【図２】加熱調理器のキッチン組込み状態の外観斜視図
【図３】内部構成を示す縦断正面図
【図４】同縦断側面図
【図５】要部を拡大して示す図３相当図
【図６】要部を拡大して示す図４相当図
【符号の説明】
【００４２】
図面中、１は加熱調理器、３は加熱調理器本体、１１，１２はＩＨ用の加熱コイル（誘導加熱手段、加熱手段）、１３はラジエントヒータ（電熱加熱手段、加熱手段）、１９，２０はインバータユニット、２１はファンモータ、２１ａは回転軸、２２は冷却ファン、２３はファンケーシング、２４は送風口、２５は導風板、２６は主板、２６ａは外周部（羽根の仕切位置）、２７は羽根、２８は後部ダクト（吸気ダクト）、２９は吸気口、３０，３１，３２は補助ダクト（吸気ダクト）、３５ａ，３５ｂ，３５ｃ電装品、３９は電装品、４０は防風板を示す。
【図１】
2009123657.tif 000003
【図２】
2009123657.tif 000004
【図３】
2009123657.tif 000005
【図４】
2009123657.tif 000006
【図５】
2009123657.tif 000007
【図６】
2009123657.tif 000008